(57)【要約】      （修正有）【課題】鞄等に入れて持ち帰ることを可能とする収納具を提供する。【解決手段】収納具１０を、一端に開口部を有し、他端に閉塞した底面部を有し、開口部から底面部に向かって形成された側面部３４、３６を備えた複数の箱状の収納体１１Ａ、１１Ｂと、収納体１１Ａ、１１Ｂどうしを連結するシート状の連結部１２と、を備える構成とする。底面部及び底面部と連設する一つの側面部、に連結部１２が巻き付けられて収納体が位置決めされ、上下方向において収納体１１Ａ、１１Ｂどうしを重ね合わせ可能とする。【選択図】図４
0003219965.tif 000002
【実用新案登録請求の範囲】
【請求項１】
一端に開口部を有し、他端に閉塞した底面部を有し、前記開口部から前記底面部に向かって形成された側面部を備えた複数の箱状の収納体と、
前記収納体どうしを連結するシート状の連結部と、
を備え、
前記収納体の、
前記開口部及び前記開口部と連設する一つの前記側面部、
又は、
前記底面部及び前記底面部と連設する一つの前記側面部、
に前記連結部が巻き付けられて前記収納体が位置決めされ、上下方向において前記収納体どうしを重ね合わせ可能とされていることを特徴とする収納具。
【請求項２】
前記連結部が巻き付けられる方向において、
前記開口部及び前記開口部と連設する一つの前記側面部、又は、前記底面部及び前記底面部と連設する一つの前記側面部、の長さが、前記連結部の長さと略同一に形成されていることを特徴とする請求項１記載の収納具。
【請求項３】
前記収納具は、ブランクシートで形成され、
前記ブランクシートは、前記収納体を形成する略矩形状の収納体形成部と、前記連結部を形成する連結部形成部と、を有し、
前記収納体形成部には、対向して設けられた一対の縦折り線と、前記縦折り線と直交して対向して設けられた一対の横折り線とが形成されて、前記縦折り線と前記横折り線とで囲まれた前記底面部と、前記底面部の外周辺側に連設した前記側面部と、前記縦折り線と前記横折り線とで区画され前記側面部と連設する四隅部と、が形成され、
各前記四隅部には、前記底面部の角の頂点と前記収納体形成部の角部とを対角線状に結ぶ斜め折り線が形成され、
前記側面部どうしを前記連結部形成部が連結し、
一対の前記縦折り線と一対の前記横折り線とが折り曲げられて箱状に形成されるとともに、前記四隅部の前記斜め折り線が折り曲げられて三角形状の折り曲げ片が形成され、隣接する前記折り曲げ片どうしが重ね合わされ、外側となる前記折り曲げ片に配設された係止片が、内側となる前記折り曲げ片と前記側面部との間に差し込まれた状態で、前記収納体形成部が前記収納体状態に保持されていることを特徴とする請求項１又は２記載の収納具。
【請求項４】
前記収納具は、ブランクシートで形成され、
前記ブランクシートは、前記収納体を形成する略矩形状の収納体形成部と、前記連結部を形成する連結部形成部と、を有し、
前記収納体形成部には、対向して設けられた一対の縦折り線と、前記縦折り線と直交して対向して設けられた一対の横折り線とが形成されて、前記縦折り線と前記横折り線とで囲まれた前記底面部と、前記底面部の外周辺側に連設した前記側面部と、一対の対向する前記側面部から延設される係合片部と、が形成され、
各前記係合片部には、前記係合片部どうしを係合可能とする切り込みが形成され、
前記側面部どうしを前記連結部形成部が連結し、
一対の前記縦折り線と一対の前記横折り線とが折り曲げられて箱状に形成されるとともに、前記係合片部が延設されない一対の対向する前記側面部の近傍で、
隣接する前記係合片部の前記切り込みどうしが係合された状態で、前記収納体形成部が前記収納体状態に保持されていることを特徴とする請求項１又は２記載の収納具。
【請求項５】
前記収納体形成部の前記連結部形成部とは反対側に、前記収納体どうしを重ね合わせた状態において、最も上に配される前記収納体の前記開口部を覆い可能な蓋部を形成する蓋部形成部が配設されていることを特徴とする請求項３又は４に記載の収納具。
【考案の詳細な説明】
【技術分野】
【０００１】
本考案は、内部に収納物を収納して携帯可能な収納具に関するものである。
【背景技術】
【０００２】
従来、飲食店等で飲食をして食べきれない場合に、例えば、寿司を持ち帰るようなときには、合成樹脂製の折り詰め用パックに、寿司を詰めて持ち帰ることが行われていた。
【考案の概要】
【考案が解決しようとする課題】
【０００３】
しかし、上記の折り詰め用パックは、底の浅いトレー状で、鞄等に入れようとすると９０度傾けて任意の側面を下にしなければならず、中に入れた寿司が下側に片寄ってしまうので、鞄等に入れて持ち帰ることが困難であった。
【０００４】
本考案は、上記事情に鑑み、鞄等に入れて持ち帰ることを可能とする収納具を提供するものである。
【課題を解決するための手段】
【０００５】
請求項１記載の考案では、一端に開口部を有し、他端に閉塞した底面部を有し、前記開口部から前記底面部に向かって形成された側面部を備えた複数の箱状の収納体と、前記収納体どうしを連結するシート状の連結部と、を備え、前記収納体の、前記開口部及び前記開口部と連設する一つの前記側面部、又は、前記底面部及び前記底面部と連設する一つの前記側面部、に前記連結部が巻き付けられて前記収納体が位置決めされ、上下方向において前記収納体どうしを重ね合わせ可能とされている。
【０００６】
これによれば、開口部及び開口部と連設する一つの側面部、又は、底面部及び底面部と連設する一つの側面部、にシート状の連結部を巻き付けて位置決めして、上下方向において収納体を重ね合わせることで、平面視における投影面積を小さくすることができ、鞄等に入れて持ち帰ることが可能となる。
【０００７】
また、前記連結部が巻き付けられる方向において、
前記開口部及び前記開口部と連設する一つの前記側面部、又は、前記底面部及び前記底面部と連設する一つの前記側面部、の長さが、前記連結部の長さと略同一に形成されている。
【０００８】
これによれば、連結部が巻き付けられる方向において、連結部の長さが、開口部と側面部、又は、底面部と側面部、と、略同一であるので、連結部を張った状態で収納体に巻き付けると、収納体の重ね合わせの位置決めを容易にすることが可能となる。
【０００９】
また、前記収納具は、ブランクシートで形成され、前記ブランクシートは、前記収納体を形成する略矩形状の収納体形成部と、前記連結部を形成する連結部形成部と、を有し、前記収納体形成部には、対向して設けられた一対の縦折り線と、前記縦折り線と直交して対向して設けられた一対の横折り線とが形成されて、前記縦折り線と前記横折り線とで囲まれた前記底面部と、前記底面部の外周辺側に連設した前記側面部と、前記縦折り線と前記横折り線とで区画され前記側面部と連設する四隅部と、が形成され、各前記四隅部には、前記底面部の角の頂点と前記収納体形成部の角部とを対角線状に結ぶ斜め折り線が形成され、前記側面部どうしを前記連結部形成部が連結し、一対の前記縦折り線と一対の前記横折り線とが折り曲げられて箱状に形成されるとともに、前記四隅部の前記斜め折り線が折り曲げられて三角形状の折り曲げ片が形成され、隣接する前記折り曲げ片どうしが重ね合わされ、外側となる前記折り曲げ片に配設された係止片が、内側となる前記折り曲げ片と前記側面部との間に差し込まれた状態で、前記収納体形成部が前記収納体状態に保持されている。
【００１０】
これによれば、収納具として使用しない状態においては、ブランクシート状態で重ね置きしておけばスペースを取らない。また、収納体に収納物を収納するときに、収納体形成部を折り曲げて、箱状の収納体に形成して使用できるので、その場で組み立てる持ち帰り用の収納具として好適なものとなる。
【００１１】
また、前記収納具は、ブランクシートで形成され、
前記ブランクシートは、前記収納体を形成する略矩形状の収納体形成部と、前記連結部を形成する連結部形成部と、を有し、
前記収納体形成部には、対向して設けられた一対の縦折り線と、前記縦折り線と直交して対向して設けられた一対の横折り線とが形成されて、前記縦折り線と前記横折り線とで囲まれた前記底面部と、前記底面部の外周辺側に連設した前記側面部と、一対の対向する前記側面部から延設される係合片部と、が形成され、
各前記係合片部には、前記係合片部どうしを係合可能とする切り込みが形成され、
前記側面部どうしを前記連結部形成部が連結し、
一対の前記縦折り線と一対の前記横折り線とが折り曲げられて箱状に形成されるとともに、前記係合片部が延設されない一対の対向する前記側面部の近傍で、隣接する前記係合片部の前記切り込みどうしが係合された状態で、前記収納体形成部が前記収納体状態に保持されている。
【００１２】
このような構成としても、その場で組み立てる持ち帰り用の収納具として好適なものとすることができる。
【００１３】
また、前記収納体形成部の前記連結部形成部とは反対側に、前記収納体どうしを重ね合わせた状態において、最も上に配される前記収納体の前記開口部を覆い可能な蓋部を形成する蓋部形成部が配設されている。
【００１４】
これによれば、蓋部が、最も上に配される収納体の開口部を覆うことで、収納体に収納された収納物が、外に出てしまうことを防止することができる。
【図面の簡単な説明】
【００１５】
【図１】本考案の一実施形態におけるブランクシートの展開平面図である。
【図２】同実施形態の収納体形成部から収納体を形成するときの説明図である。
【図３】使用態様の説明斜視図である。
【図４】収納体を重ね合わせた状態の説明斜視図である。
【図５】収納体を重ね合わせる手順の説明図である。
【図６】本考案の他の実施形態における収納体を重ね合わせる手順の説明図である。
【図７】本考案のさらに他の実施形態におけるブランクシートの展開平面図である。
【図８】同実施形態の収納体形成部から収納体を形成するときの説明図である。
【考案を実施するための形態】
【００１６】
本考案の一実施形態について図面に基づいて説明する。本考案は、概略的には、図３、４に示す、収納具１０であり、本実施形態では、収納具１０は、図１に示す、一枚の紙製のブランクシート２０を折り曲げて形成され、収納体１１（区別するときには、収納体１１Ａ、収納体１１Ｂとする）、連結部１２、蓋部１３を有して、収納体１１内に寿司等の食品を収納可能とされた持ち帰り用の収納具として用いられるものである。
【００１７】
ブランクシート２０は、図１に示すように、収納体１１を形成する略矩形状の収納体形成部３０と、連結部１２を形成する連結部形成部５０と、蓋部１３を形成する蓋部形成部６０と、を有している。なお、ブランクシート２０の説明においては、図１の紙面における、上を上、下を下、左を左、右を右とする。
【００１８】
収納体形成部３０（区別するときには、収納体形成部３０Ａ、収納体形成部３０Ｂとする）は、矩形板状に形成され、上下方向に沿って対向して設けられる一対の縦折り線３１と、上下方向に直交して対向して設けられる一対の横折り線３２を備える。
【００１９】
収納体形成部３０は、一対の縦折り線３１と一対の横折り線３２とで囲まれて矩形状に形成され、収納体形成部３０の中央部に位置する底面部３３と、底面部３３の外周辺側に連設した側面部３４、３５、３６、３７と、縦折り線３１と横折り線３２とで区画され側面部３４、３５、３６、３７と連設する四隅部３８、３９、４０、４１と、で形成されている。
【００２０】
図１、２、３に示すとおり、四隅部３８、３９、４０、４１は、底面部３３の角の頂点側から収納体形成部３０の角部側に対角線状に結ばれる斜め折り線４２をそれぞれ備え、斜め折り線４２を折って、四隅部３８、３９、４０、４１の斜め折り線４２の両側の部分を合わせることにより、三角形状に形成される折り曲げ片４５、４６、４７、４８として構成される。
【００２１】
上側に位置する四隅部４０、４１の上辺からは、略台形状の係止片４３、４４が上方に向かって延設されている。
【００２２】
連結部形成部５０は、矩形板状に形成され、上下方向における中央部に、左右方向に沿って形成された連結部折り線５１を備えている。連結部形成部５０は、後述する、収納体１１Ａに巻き付けられるときの、巻き付け方向（図１における上下方向）における長さが、底面部３３及び側面部３７の長さと略同一に形成されている。換言すれば、底面部３３及び側面部３７の長さと、連結部１２の長さが略同一となるように形成されている。
【００２３】
蓋部形成部６０は、矩形板状に形成され、上下方向における上辺部分及び中央部に、左右方向に沿って形成された蓋部折り線６１を備えている。蓋部形成部６０の上辺部分から上方に向かって略台形状の蓋係止片６２が延設されている。
【００２４】
また、ブランクシート２０は、連結部形成部５０の上辺及び下辺部分に、上下方向に連設する収納体形成部３０Ａ、３０Ｂとの境界となる連結部境界折り線１４を備え、蓋部形成部６０の下辺部分に、収納体形成部３０Ｂとの境界となる蓋部境界折り線１５を備えている。
【００２５】
収納具１０の使用態様を説明する。ブランクシート２０を、図１の状態から、縦折り線３１、横折り線３２を折り曲げて、底面部３３に対して側面部３４、３５、３６、３７を上側に立てる。そして、四隅部３８、３９、４０、４１の斜め折り線４２をそれぞれ折り曲げて、略三角形状の折り曲げ片４５、４６、４７、４８を形成する。
【００２６】
ここで、図２において、収納体形成部３０Ｂの四隅部３９、側面部３６、四隅部４１の部分について説明するが、収納体形成部３０Ｂの反対側、収納体形成部３０Ａにおいても同様であるので他の部分の説明は省略する。
【００２７】
図２（ａ）に示される略三角形状に形成された折り曲げ片４６を、図２（ｂ）に示すように、側面部３６側に折り曲げる。さらに、図２（ｃ）に示すように、係止片４４が配設された折り曲げ片４８を、折り曲げ片４６と重ね合わさるように折り曲げる。そのとき、係止片４４を折り曲げ片４６と、側面部３６との間に差し込むことで、図２（ｄ）に示すように、底面部３３と側面部３４、３６、３７とが係止され、底面部３３と側面部３４、３６、３７との形状が保持される。反対側の部分も同様に、係止片４３により、底面部３３と側面部３４、３５、３７とが係止されて、収納体形成部３０Ｂは箱状に保持されて、収納体１１Ｂとして形成される。収納体形成部３０Ａにおいても同様である。
【００２８】
以上のことより、図１〜３に示すように、収納体形成部３０Ａ、３０Ｂは、一端に開口部１１ａを有し、他端に閉塞した底面部３３を有し、開口部１１ａから底面部３３に向かって形成された側面部３４、３５、３６、３７を備えた複数の箱状の収納体１１Ａ、１１Ｂに形成されることになる。
【００２９】
箱状に形成された二つの収納体１１Ａ、１１Ｂを、図３、５（ａ）に示すように、作業場所となるテーブル等に底面部３３が下となるようにそれぞれ置き、二つの収納体１１Ａ、１１Ｂ内に寿司等の食品を収納する。食品の収納が完了したら、図５（ｂ）に示すように、左側に位置する収納体１１Ａを、連結部１２が収納体１１Ａの側面部３７と接するように時計回り方向に回転させるように手で持ち上げる。そして、図５（ｃ）に示すように、収納体１１Ｂの開口部１１ａを覆うように収納体１１Ａと収納体１１Ｂを上下に重ね合わせる。このとき、連結部１２は、収納体１１Ａの側面部３７及び底面部３３に巻き付けられた状態となっていて、収納体１１Ａ、１１Ｂの位置決めがされている。
【００３０】
つまり、連結部１２が巻き付けられる方向において、底面部３３及び底面部３３と連設する一つの側面部３７の長さが、連結部１２の長さと略同一に形成されていることで、連結部１２を張った状態で収納体１１Ａに巻き付けると、収納体１１Ａ、１１Ｂの重ね合わせの位置決めが自然になされることになる。
【００３１】
本明細書における、「連結部が巻き付けられる」とは、側面部３４又は側面部３７と、底面部３３に連結部１２が密着する場合だけでなく、少なくとも連結部１２の一部が接している状態をも含むものとする。また、後述する、側面部３４と、開口部１１ａに巻き付けられる場合において、開口部１１ａを覆う状態をも含むものとする。
【００３２】
そして、収納体１１Ｂから延設されている蓋部１３を反時計回りに回転させて、上側の収納体１１Ａの開口部１１ａを覆うとともに、収納体１１Ａの開口部１１ａに蓋係止片６２を差し込んで、蓋部１３と収納体１１Ａの側面部３４とを係止させる。
【００３３】
これにより、収納具１０は、図４、５（ｄ）に示すように、収納体１１Ａ、１１Ｂが上下方向において、重ね合わされた状態となる。そして、輪ゴム等の結束部材を用いて収納体１１Ａ、１１Ｂの移動を規制して、鞄等の内部に収納具１０を収納して食品を持ち帰る可能となる。
【００３４】
上記構成の収納具１０では、一端に開口部１１ａを有し、他端に閉塞した底面部３３を有し、開口部１１ａから底面部３３に向かって形成された側面部３４、３５、３６、３７を備えた複数の箱状の収納体１１Ａ、１１Ｂと、収納体１１Ａ、１１Ｂどうしを連結するシート状の連結部１２と、を備え、底面部３３及び底面部３３と連設する一つの側面部３７、に連結部１２が巻き付けられて収納体１１Ａ、１１Ｂの位置が位置決めされ、上下方向において収納体１１Ａ、１１Ｂどうしを重ね合わせ可能とされている。
【００３５】
これによれば、底面部３３及び底面部３３と連設する一つの側面部３７、にシート状の連結部１２を巻き付けて位置決めして、上下方向において収納体１１Ａ、１１Ｂを重ね合わせることで、平面視における投影面積を小さくすることができ、鞄等に入れて持ち帰ることが可能となる。
【００３６】
また、連結部１２が巻き付けられる方向において、底面部３３及び底面部３３と連設する一つの側面部３７の長さが、連結部１２の長さと略同一に形成されている。
【００３７】
これによれば、連結部１２が巻き付けられる方向において、連結部１２の長さが、底面部３３と側面部３７、と、略同一であるので、連結部１２を張った状態で収納体１１Ａに巻き付けると、収納体１１Ａ、１１Ｂの重ね合わせの位置決めを容易にすることが可能となる。
【００３８】
また、収納具１０は、一枚のブランクシート２０で形成され、ブランクシート２０は、収納体１１Ａ、１１Ｂを形成する略矩形状の収納体形成部３０Ａ、３０Ｂと、連結部１２を形成する連結部形成部５０と、を有し、収納体形成部３０Ａ、３０Ｂには、対向して設けられた一対の縦折り線３１と、縦折り線３１と直交して対向して設けられた一対の横折り線３２とが形成されて、縦折り線３１と横折り線３２とで囲まれた底面部３３と、底面部３の外周辺側に連設した側面部３４、３５、３６、３７と、縦折り線３１と横折り線３２とで区画され側面部３４、３５、３６、３７と連設する四隅部３８、３９、４０、４１と、が形成され、各四隅部３８、３９、４０、４１には、底面部３３の角の頂点と収納体形成部３０Ａ、３０Ｂの角部とを対角線状に結ぶ斜め折り線４２が形成され、側面部３４、３７どうしを連結部形成部５０が連結し、一対の縦折り線３１と一対の横折り線３２とが折り曲げられて箱状に形成されるとともに、四隅部３８、３９、４０、４１の斜め折り線４２が折り曲げられて三角形状の折り曲げ片４５、４６、４７、４８が形成され、隣接する折り曲げ片４５、４６、４７、４８どうしが重ね合わされ、外側となる折り曲げ片４７、４８に配設された係止片４３、４４が、内側となる折り曲げ片４５、４６と側面部３５、３６との間に差し込まれた状態で、収納体形成部３０Ａ、３０Ｂが収納体１１Ａ、１１Ｂ状態に保持されている。
【００３９】
これによれば、収納具１０として使用しない状態においては、ブランクシート２０状態で重ね置きしておけばスペースを取らない。また、収納体１１に収納物を収納するときに、収納体形成部３０Ａ、３０Ｂを折り曲げて、箱状の収納体１１Ａ、１１Ｂに形成して使用できるので、その場で組み立てる持ち帰り用の収納具として好適なものとなる。
【００４０】
また、収納体形成部３０Ｂの連結部形成部５０とは反対側に、収納体１１Ａ、１１Ｂどうしを重ね合わせた状態において、最も上に配される収納体１１Ａの開口部１１ａを覆い可能な蓋部１３を形成する蓋部形成部６０が配設されている。
【００４１】
これによれば、蓋部１３が、最も上に配される収納体１１Ａの開口部１１ａを覆うことで、収納体１１Ａに収納された収納物が、外に出てしまうことを防止することができる。
【００４２】
本考案の収納具は上記構成に限定されるものではない。即ち、本考案の要旨を逸脱しない限り各種の設計変更等が可能である。以下に、変形した態様を例示する。以下の説明において、収納具１０と対応する構成については、同一符号を付加し、全部又は一部の説明を省略する。
【００４３】
例えば、図６（ａ）に示すように、収納具１０Ｄでは、収納体１１Ｄ、１１Ｅを自立可能な合成樹脂等で形成して、蓋部１３Ｄ、連結部１２Ｄを、収納体１１Ｄ、１１Ｅに巻き付け可能な布等で形成することが考えられる。この場合、収納体１１Ｄ、１１Ｅの底面部３３の外周縁部どうしを連結部１２Ｄで連結し、蓋部１３Ｄを収納体１１Ｅの底面部３３の連結部１２Ｄとは反対側に設けることとなる。そして、図６（ｂ）に示すように、連結部１２Ｄが下側の収納体１１Ｅの側面部３４と接するように収納体１１Ｄを時計回り方向に回転させるように手で持ち上げる。そして、図６（ｃ）に示すように、収納体１１Ｅの開口部１１ａを覆うように収納体１１Ｄを重ね合わせる。このとき、連結部１２Ｄは、収納体１１Ｅの開口部１１ａ及び側面部３４に巻き付けられた状態で、収納体１１Ｄ、１１Ｅの位置決めをしている。
【００４４】
収納体１１Ｅから延設されている蓋部１３Ｄを反時計回りに回転させて、上側の収納体１１Ｄの開口部１１ａを覆うとともに、開口部１１Ｅａに蓋係止片６２を差し込んで、蓋部１３Ｄと収納体１１Ｄの側面部３４とを係止させる。これにより、収納具１０Ｄは、図４、５（ｄ）に示すように、収納体１１Ｄ、１１Ｅが上下方向において、重ね合わされた状態となる。
【００４５】
このような構成としても、平面視における投影面積を小さくすることができ、鞄等に入れて持ち帰ることが可能となる。
【００４６】
また、他の変形例として、収納具１０Ｆを挙げることができる。以下の説明において、収納具１０と対応する構成については、同一符号を付加し、全部又は一部の説明を省略する。
【００４７】
収納具１０Ｆでは、ブランクシート２０の収納体形成部３０Ｆ、３０Ｇが、収納体形成部３０Ａ、３０Ｂとは異なる構成となっている。
【００４８】
四隅部３８、３９、４０、４１に対応する構成の、係止片部１３８、１３９、１４０、１４１は、側面部３４の左右の端部から係止片部１３８、１３９が、側面部３７の左右の端部から係止片部１４０、１４１が、それぞれ外側に向かって略矩形状に延設されている。
【００４９】
係止片部１３８、１３９、１４０、１４１には、係止片部１３８と係止片部１４０、係止片部１３９と係止片部１４１、を互いに係合可能とする切り込み１３８ａ、１３９ａ、１４０ａ、１４１ａが形成されている。
【００５０】
係止片部１３８と係止片部１４０では、切り込み１３８ａ、１４０ａ、は上辺から下辺に向かって切り込まれ、係止片部１３９と係止片部１４１では、切り込み１３９ａ、１４１ａは下辺から上辺に向かって切り込まれている。
【００５１】
収納具１０Ｆの使用態様を説明する。ここで、図８において、収納体形成部３０Ｇの係止片部１３９、係止片部１４１、側面部３６の部分について説明するが、収納体形成部３０Ｇの反対側、収納体形成部３０Ｆにおいても同様であるので他の部分の説明は省略する。
【００５２】
ブランクシート２０を、図７の状態から、縦折り線３１を折り曲げて、図８（ａ）に示すように、底面部３３及び側面部３４、３７に対して、側面部３６、係止片部１３９、１４１を上側に立てる。そして、横折り線３２を折り曲げて側面部３４を折り曲げて、図８（ｂ）に示すように、底面部３３に対して上側に立てる。このとき、係止片部１３９は時計回りに９０度回転して、切り込み１３９ａが上側に位置している。
【００５３】
そして、図８（ｃ）に示すように、横折り線３２を折り曲げて側面部３７を折り曲げるとともに、係止片部１４１の切り込み１４１ａを、係止片部１３９の切り込み１３９ａに進入させて底面部３３に対して上側に立てる。このとき、係止片部１４１は時計周りに回転して、切り込み１４１ａが下側に向かっている。
【００５４】
さらに、係止片部１４１の切り込み１４１ａを、係止片部１３９の切り込み１３９ａに進入させると、係止片部１４１の切り込み１４１ａと、係止片部１３９の切り込み１３９ａとが係合して、底面部３３と側面部３４、３６、３７との形状が保持され、収納体形成部３０Ｇの反対側においても底面部３３と側面部３４、３５、３７との形状が保持され、箱状の収納体１１Ｇが形成されることになる。さらに、収納体１１Ｆも同様に形成される。
【００５５】
このような構成としても、その場で組み立てる持ち帰り用の収納具として構成することができる。
【００５６】
また、収納体１１を三以上の複数個設けることも可能である。この場合、収納体１１の側面部３４、３７の開口部１１ａとなる部分、又は、収納体１１の底面部３３の側面部３４、３７側の外周縁部を連結部１２で連結して、蓋部１３を適宜設けることができる。
【００５７】
また、ブランクシート２０から、収納具１０を形成する場合に、縦折り線３１、横折り線３２、連結部折り線５１、蓋部折り線６１、連結部境界折り線１４、蓋部境界折り線１５等の折り線を用いているが、折り曲げ可能であるのであれば、折り線以外の構成とすることができる。
【００５８】
また、一枚の紙製のブランクシート２０を折り曲げて収納具１０を形成したが、ブランクシート２０を、複数枚のシートで分割して、各シートを結合させて構成することも可能である。
【００５９】
また、上記実施形態では、収納体１１に食品を収納していたが、例えば、文具、アクセサリー、化粧品等を収納することも可能である。
【００６０】
また、係止片部１３８、１３９、１４０、１４１は、側面部３５の上下の端部から係止片部１３８、１４０を、側面部３６の上下の端部から係止片部１３９、１４１を、それぞれ外側に向かって延設させることも可能である。
【符号の説明】
【００６１】
１０  収納具
１１  収納体
１１ａ  開口部
１１Ａ  収納体
１１Ｂ  収納体
１２  連結部
１３  蓋部
１０Ｄ  収納具
１１Ｄ  収納体
１１Ｅ  収納体
１２Ｄ  連結部
１３Ｄ  蓋部
１０Ｆ  収納具
１１Ｆ  収納体
１１Ｇ  収納体
２０  ブランクシート
３０  収納体形成部
３０Ａ  収納体形成部
３０Ｂ  収納体形成部
３０Ｆ  収納体形成部
３０Ｇ  収納体形成部
３１  縦折り線
３２  横折り線
３３  底面部
３４  側面部
３５  側面部
３６  側面部
３７  側面部
３８  四隅部
３９  四隅部
４０  四隅部
４１  四隅部
４２  斜め折り線
４３  係止片
４４  係止片
４５  折り曲げ片
４６  折り曲げ片
４７  折り曲げ片
４８  折り曲げ片
５０  連結部形成部
６０  蓋部形成部
１３８  係止片部
１３８ａ  切り込み
１３９  係止片部
１３９ａ  切り込み
１４０  係止片部
１４０ａ  切り込み
１４１  係止片部
１４１ａ  切り込み
【図１】
0003219965.tif 000003
【図２】
0003219965.tif 000004
【図３】
0003219965.tif 000005
【図４】
0003219965.tif 000006
【図５】
0003219965.tif 000007
【図６】
0003219965.tif 000008
【図７】
0003219965.tif 000009
【図８】
0003219965.tif 000010